(57)【要約】【課題】この発明は複数のデジタルテレビ放送受信装置の視聴制限を一つの受信装置にて制御することを目的とする。【解決手段】制御装置であるデジタルテレビ放送受信機１０１と被制御装置であるデジタルテレビ方送受信機１０２において、複数の被制御装置１０２での視聴制限を制御装置１０１にて一括制御するためにＢｌｕｅｔｏｏｔｈ等による無線通信手段を備える。これにより、個々のデジタルテレビ放送受信機にて視聴制限等の設定を行なう必要がなくなり操作の簡略化を図ることができるだけでなく、全てのデジタルテレビの視聴情報を一括で管理することができる。【選択図】  図１
2004312505.tif 000002
【特許請求の範囲】
【請求項１】
Ｂｌｕｅｔｏｏｔｈ等による無線通信手段を備えたデジタルテレビジョン放送受信装置であって、そのデジタルテレビジョン放送受信装置を制御装置としてのマスターテレビと被制御装置としてのスレーブテレビへの設定手段と、
マスターテレビにて複数のスレーブテレビを検出する手段と、
マスターテレビにおいて、マスター及び複数のスレーブテレビでの有料番組の購入上限及び年齢視聴制限の設定手段と、
上記設定内容及び現在までの有料番組購入金額を不揮発性メモリに記憶させる手段と、
マスターまたはスレーブテレビにて有料番組が選局された際に、設定した有料番組購入上限金額を超えるか否かを判別する手段と、
上記有料番組購入上限金額を超える場合はその有料番組の購入を禁止する手段と、
上記有料番組購入上限金額以下の場合はその有料番組の購入を許可し、その購入金額を現在までの有料番組購入金額に加算する手段と、
一時的に有料番組購入制限を解除する手段を備えたデジタルテレビ放送受信装置。
【請求項２】
有料番組購入金額情報を放送事業者に送信するためのネットワークインターフェースを備え、スレーブテレビの有料番組購入金額情報を放送事業者に送信する際、スレーブテレビ自身のネットワークインターフェースを使用するか、無線通信を使用しマスターテレビのネットワークインターフェース経由で行うかを選択する手段を備えた請求項１記載のデジタルテレビ放送受信装置。
【発明の詳細な説明】
【０００１】
【発明の属する技術分野】
本発明はデジタルテレビ放送における有料番組購入の管理方法に関するものである。
【０００２】
【従来の技術】
従来の視聴制限制御システムは単一のデジタルテレビ放送受信機において、複数のユーザーに対する有料放送番組の視聴制限に関するものであった（例えば、特許文献１参照。）。
【０００３】
【特許文献１】
特開２０００−１３４６００号公報
【０００４】
【発明が解決しようとする課題】
しかしながら、今後デジタルテレビの普及が進み一家庭に複数台のデジタルテレビが存在する状況になった場合、個々のデジタルテレビにて有料番組購入制限の設定を行わねばならず非常に面倒であると同時に、有料番組の購入状況は個々のテレビでしか確認する事ができない課題を有している。
【０００５】
本発明は、前記従来の課題を解決するもので、複数のデジタルテレビの有料番組購入の制限及び購入状況を１台のデジタルテレビにて管理するデジタルテレビ放送受信装置に関するものである。
【０００６】
【課題を解決するための手段】
前記従来の課題を解決するために、本発明のデジタルテレビ放送受信装置は、Ｂｌｕｅｔｏｏｔｈ等の無線通信手段を備え、その無線通信手段にて制御装置であるマスターテレビと被制御装置であるスレーブテレビ間のデータ通信を行い、複数テレビの有料番組の購入に関する制御を一括して行う。
【０００７】
この構成によって、例えばリビングで家族が使用するテレビだけでなく、子供が自分の部屋で使用しているデジタルテレビにおいてもリビングのテレビから視聴制御を行う事ができ、有料番組の過剰購入を防ぐことができる。
【０００８】
【発明の実施の形態】
以下本発明の実施の形態について、図面を参照しながら説明する。
【０００９】
（実施の形態１）
図１は、デジタルテレビ放送受信装置の構成を示している。デジタルテレビ１０１は制御装置としてのマスターテレビであり、デジタルテレビ１０２は被制御装置としてのスレーブテレビであるが、ハードウェア構成は同一であり、ソフトウェアによってマスターとスレーブが設定される。アンテナ１１８または１１９にて受信したＲＦ信号はフロントエンド部１０３にて選局、復調及びエラー訂正が行われ、デスクランブル部１０４に入力される。デスクランブル部１０４では、ＩＣカードＩ／Ｆ部１１２を経由して接続されるＩＣカード１１１より暗号を解除する為の鍵情報を抽出することにより暗号化された信号をデスクランブルし、そのデスクランブルされた信号はＭＰＥＧデコード部１０５にて映像及び音声データが復調され、ＡＶエンコーダ部１０５にてアナログの映像及び音声信号にエンコードされＣＲＴ及びスピーカーへ出力される。ＩＣカード１１１には有料番組の視聴情報も記憶されており、ネットワークインターフェース部１１０を経由して適時放送事業者センターへ送信され、課金管理が行われる。上記受信機はＣＰＵ１１３により制御され、ソフトウェア格納用のＲＯＭや作業領域としてのＲＡＭといったメモリ１１４を持ち、受信機の設定等を記憶するためのＥＥＰＲＯＭ１１５を持つ。デジタルテレビ１０１とデジタルテレビ１０２は無線通信アンテナ１０９を経由して無線通信回路１０８にて無線接続され、互いにデータの送受信が行われる。
【００１０】
図２は宅内のテレビ無線ネットワークを示しており、当実施の形態では、マスターテレビ１０１と複数のスレーブテレビ１０２が無線にて接続され、有料番組の視聴制御をマスターテレビにて一括制御し、スレーブテレビにおける視聴情報はマスターテレビ１０１経由で電話回線といった外部ネットワーク回路網１２０を通じて放送事業者センターに送信される。なお、このスレーブテレビの視聴情報は各スレーブテレビ１０２から直接外部ネットワーク回路網１２０へ接続してもよい。
【００１１】
図３はデジタルテレビのマスター及びスレーブの設定方法を示している。この設定は各テレビにて行う必要があり、無線接続する複数のデジタルテレビの内、いずれか一つは制御を行うマスターテレビにする必要があり、そのマスターテレビにて制御したいデジタルテレビは全てスレーブテレビにする必要がある。
【００１２】
マスターテレビに設定する場合は、無線通信設定画面にてマスターアイコン２０１を選択し、テレビの名前入力欄２０２に任意の名前を入力することができ、パスワード設定欄２０３にてパスワードを設定することにより、特定のユーザーのみマスターテレビの設定を変更できるようになっている。
【００１３】
スレーブテレビに設定する場合は、無線通信設定画面にてスレーブアイコン２０４を選択し、テレビの名前入力欄２０５に任意の名前と、スレーブ番号欄２０６に任意のスレーブ番号を入力することにより、スレーブテレビとして確定される。なおスレーブ設定においてテレビの名前とスレーブ番号を入力しなかった場合は適当に自動設定されるものとする。また、マスターテレビと通信を行いたくない場合は無線通信設定画面にてオフアイコン２０７を選択することにより、マスターテレビに検出されないようにすることが可能である。
【００１４】
図４はマスターテレビにおいて、スレーブテレビの検出を行った結果を示しており、正常に検出された場合は、マスターテレビ名３０１と検出したスレーブ番号にスレーブテレビ名３０２が表示される。
【００１５】
図５は各テレビの視聴制限設定と実績表示画面であり、マスターテレビにて表示することが可能である。この画面にて年齢視聴制限４０２及び有料番組を意味するＰＰＶ購入制限４０３を各テレビ毎に設定することと現在までの購入金額４０４を確認することが可能である。ただし年齢視聴制限４０２とＰＰＶ購入制限４０３の設定を行う為には上記マスターテレビに設定する際に入力したパスワードが必要であり、特定のユーザーのみ設定可能としている。
【００１６】
図６は視聴制限設定されているマスターまたはスレーブテレビにおいて、一時的に視聴制限を解除するゲストメニューを示している。ゲストログインしたいマスターまたはスレーブテレビにおいて、ゲストメニューにてログインアイコン５０１を選択するとマスターテレビ設定用のパスワード入力部５０２が表示され、パスワードの入力が求められる。パスワードが受理された場合はそのテレビにおける視聴制限を一時的に解除するメッセージ５０３を表示し、視聴制限を一時的に解除する。この視聴制限解除はゲストメニューにてログアウトアイコン５０４を選択しゲストのログアウトをするまで継続される。なおゲストログインにて視聴した有料番組の購入実績は図５のゲストによる購入実績４０５のように通常の購入実績と別に表示されるものとする。
【００１７】
図７から図９は有料番組購入時の処理手順を示している。
【００１８】
ユーザーによって番組選局が行われると（ステップ６０１）有料番組（ＰＰＶ番組）であるか否かを判別する（ステップ６０２）。ＰＰＶ番組でない場合は現在の番組を継続して表示し（ステップ６０３）処理を終了する。
【００１９】
ＰＰＶ番組の場合はマスターテレビか否かを判別し（ステップ６０４）、マスターテレビの場合はゲストログイン中か否かを判別し（ステップ６０５）、ゲストログイン中でない場合は購入しようとしているＰＰＶ番組の視聴料金と視聴年齢制限情報をマスターテレビのメモリに記憶されている視聴制限設定と現在までのＰＰＶ番組購入実績データとを照合し、購入可能範囲内か否かの判別を行う（ステップ６０６）。購入可能範囲内であれば、購入するか否かの選択が行われ（ステップ６０７）、購入する場合はマスターテレビのメモリに記憶されているＰＰＶ番組購入実績データを更新し（ステップ６０８）、購入したＰＰＶ番組を継続して表示し（ステップ６０９）処理を終了する。ステップ６０７にてＰＰＶ番組を購入しない場合は番組表を表示し（ステップ６１１）処理を終了する。ステップ６０６にてＰＰＶ番組購入範囲外の場合は当該ＰＰＶ番組の購入不可メッセージを表示し（ステップ６１０）、番組表を表示して（ステップ６１１）処理を終了する。ステップ６０５にてゲストログインしている場合は視聴制限処理を行わず、ステップ６０７へ移行する。
【００２０】
ステップ６０４でマスターテレビでない場合つまりスレーブテレビの場合はゲストログイン中か否かを判別し（ステップ６１２）、ゲストログイン中でない場合はマスターテレビより当該スレーブテレビの視聴制限設定と現在までの視聴料金情報を受信し（ステップ６１３）、購入しようとしているＰＰＶ番組が購入範囲内か否かの判別を行う（ステップ６１４）。購入可能範囲内であれば、購入するか否かの選択が行われ（ステップ６１５）、購入する場合はマスターテレビに購入したＰＰＶ番組の視聴料金を送信する（ステップ６１６）。マスターテレビではスレーブテレビより受信した情報を元に当該スレーブテレビのＰＰＶ購入実績データを更新し（ステップ６１７）、購入したＰＰＶ番組を継続して表示し（ステップ６１８）処理を終了する。ステップ６１５にてＰＰＶ番組を購入しない場合は番組表を表示し（ステップ６２０）処理を終了する。ステップ６１４にてＰＰＶ番組購入範囲外の場合は当該番組の購入不可メッセージを表示し（ステップ６１９）、番組表を表示して（ステップ６２０）処理を終了する。ステップ６１２にてゲストログインしている場合は視聴制限処理を行わず、ステップ６１５へ移行する。
【００２１】
【発明の効果】
以上のように、本発明の無線通信を用いた有料番組の視聴制御によれば、一家庭内の複数のデジタルテレビ放送受信機の視聴制御を一括して行うことがでる。また、有料番組の視聴情報を放送事業者センターに送信する際、各デジタルテレビからではなく１つのマスターテレビから送信することにより、電話回線といったネットワーク回線との接続を簡略化することができる。
【図面の簡単な説明】
【図１】デジタル放送受信装置のブロック図
【図２】宅内テレビ無線ネットワークの模式図
【図３】無線通信設定を説明するための模式図
【図４】宅内テレビ無線ネットワークによるテレビの検出を説明するための模式図
【図５】視聴制限設定方法と視聴実績表示内容を説明するための模式図
【図６】視聴制御の一時解除を説明するための模式図
【図７】視聴制限処理手順を示すフローチャート
【図８】視聴制限処理手順を示すフローチャート
【図９】視聴制限処理手順を示すフローチャート
【符号の説明】
１０１  デジタルテレビ放送受信装置（マスター）
１０２  デジタルテレビ放送受信装置（スレーブ）
１０３  フロントエンド部
１０４  デスクランブル部
１０５  ＭＰＥＧデコード部
１０６  ＡＶエンコーダ部
１０７  ＣＲＴ
１０８  無線通信回路
１０９  無線通信用アンテナ
１１０  ネットワークインターフェース部
１１１  ＩＣカード
１１２  ＩＣカードＩ／Ｆ部
１１３  ＣＰＵ
１１４  メモリ
１１５  ＥＥＰＲＯＭ
１１６  リモコン受信部
１１７  スピーカー
１１８  地上波アンテナ
１１９  衛星アンテナ
１２０  外部ネットワーク回路網
１２１  放送事業者センター
２０１  マスターアイコン
２０２  マスターテレビ名入力部
２０３  マスターテレビ設定用パスワード入力部
２０４  スレーブアイコン
２０５  スレーブテレビ名入力部
２０６  スレーブ番号入力部
２０７  無線通信オフアイコン
３０１  検出テレビ一覧におけるマスターテレビ名
３０２  検出テレビ一覧におけるスレーブテレビ名
４０１  視聴制限設定と実績画面におけるテレビの名前欄
４０２  視聴制限設定と実績画面における年齢視聴制限欄
４０３  視聴制限設定と実績画面におけるＰＰＶ購入制限設定値欄
４０４  視聴制限設定と実績画面におけるＰＰＶ購入実績表示欄
５０１  ゲストメニューにおけるログインアイコン
５０２  パスワード入力部
５０３  視聴解除メッセージ
５０４  ゲストメニューにおけるログアウトアイコン
５０５  視聴制限を戻すメッセージ
【図１】
2004312505.tif 000003
【図２】
2004312505.tif 000004
【図３】
2004312505.tif 000005
【図４】
2004312505.tif 000006
【図５】
2004312505.tif 000007
【図６】
2004312505.tif 000008
【図７】
2004312505.tif 000009
【図８】
2004312505.tif 000010
【図９】
2004312505.tif 000011